(57)【要約】      （修正有）【課題】手袋の挟圧時における挟持部と手袋との接触面積および接触抵抗を十分に確保し、手袋が不用意に脱落するのを確実に防止可能にするグルーブホルダを提供する。【解決手段】操作部２１ａ，２２ａ、枢支部２１ｂ，２２ｂおよび挟持部２１ｃ，２２ｃを一体に有する略Ｓ字状の一対の挟持杆２１，２２と、これらの挟持杆の操作部、枢支部および挟持部が互いに線対称配置となるように各枢支部を連結する枢支軸部材２３と、枢支軸部材に支持されて、各挟持部の先端どうしが圧接状態となるように各挟持杆を回動付勢するばね部材２４と、を備え、挟持部間に手袋を挟んでハンドバッグ等の携行品にぶら下げられるようにして用いられるグローブホルダＡである。挟持部２１ｃ、２２ｃが、枢支部２１ｂ、２２ｂ付近から分岐する複数本の分岐片２１ｃ１、２１ｃ２および分岐片２２ｃ１、２２ｃ２を持つ構成である。【選択図】図１
0003188755.tif 000002
【実用新案登録請求の範囲】
【請求項１】
操作部、枢支部および挟持部を一体に有する略Ｓ字状の一対の挟持杆と、
これらの挟持杆の操作部、枢支部および挟持部が互いに線対称配置となるように前記各枢支部を連結する枢支軸部材と、
該枢支軸部材に支持されて、各挟持部の先端どうしが圧接状態となるように各挟持杆を回動付勢するばね部材と、を備え、前記挟持部間に手袋を挟んでハンドバッグ等の携行品にぶら下げられるようにして用いられるグローブホルダであって、
前記各挟持部が前記枢支部付近から分岐する複数本の分岐片からなることを特徴とするグローブホルダ。
【請求項２】
前記各操作部の先端側を幅広部に形成したことを特徴とする請求項１記載のグローブホルダ。
【請求項３】
前記各挟持部の対向面に摩擦処理部が設けられていることを特徴とする請求項１記載のグローブホルダ。
【考案の詳細な説明】
【技術分野】
【０００１】
本考案は、手袋を挟んでハンドバッグ等の携行品にぶら下げて用いるグローブホルダに関する。
【背景技術】
【０００２】
従来から、指先や手を寒さから守るために手袋（グローブ）が用いられている。かかる手袋は、歩行中に手から取り外した際に、通常、片手で握るようにして、あるいは上着やコートのポケットに差し入れたりして、持ち歩く。しかし、手袋を手で持ち歩く場合には、立ち止まった時などに傍にある何かの物の上に置いて、そのまま置き忘れする場合があるほか、握力が緩むなどして片側の手袋を落としてしまう場合があり、これらが手袋紛失の大きな原因になっている。また、手袋を上着やコートのポケットに差し入れた場合には、ポケットが膨らんで上着やコートの外観を悪くしてしまうほか、ポケットへの手の出し入れを繰り返す際に手袋がそのポケットから脱落し、紛失してしまうという不都合があった。
【０００３】
これに対して、近年、手から外した手袋を手に持たないで、あるいはポケットに差し入れないで、簡単に保持および保持解除ができるグローブホルダが提案されている（例えば、特許文献１参照）。このグローブホルダは、手袋の保持および保持解除が可能な構成であり、ハンドバッグやカバンなどの携行品にぶら下げるようにして用いられる。従って、手から外した手袋を直ちにグローブホルダに挟持させることで、歩行中でもこの手袋が不用意に落下、紛失することを回避することができる。
【０００４】
図４はかかる従来のグローブホルダを示す斜視図である。このグローブホルダＢは挟持杆１１、１２と、枢支軸部材１３と、ばね部材１４とを備え、これらのうち挟持杆１１は、操作部１１ａ、枢支部１１ｂおよび挟持部１１ｃを一体に有してＳ字状に形成されている。また、挟持杆１２は、操作部１２ａ、枢支部１２ｂおよび挟持部１２ｃを一体に有してＳ字状に形成されている。
【０００５】
これらの挟持杆１１、１２はデザイン性、ファッション性を考慮して、比較的細長い金属（亜鉛合金、真鍮など）や硬質のプラスチック（エポキシ樹脂など）の角型（矩形）断面の湾曲棒状材により構成され、必要に応じ表面にメッキなどにより金色など色彩、光沢、模様による装飾が施される。さらに、挟持杆１１の操作部１１ａ先端には小径の係止孔１５が穿設されている。この係止孔１５には、グローブホルダＢをハンドバッグなどの携行品にぶら下げる（吊持する）チェーン１６の一端が係止可能となっている。
【０００６】
枢支軸部材１３は、挟持杆１１の操作部１１ａ、枢支部１１ｂおよび挟持部１１ｃと、挟持杆１２の操作部１２ａ、枢支部１２ｂおよび挟持部１２ｃとが、互いに線対称配置となるように、各枢支部１１ｂ、１２ｂを連結（枢支）している。この枢支軸部材１３は、例えば各枢支部１１ｂ、１２ｂに設けられた軸挿通孔（図示しない）に挿通されるボルト部材（図示しない）と、このボルト部材に各枢支部１１ｂ、１２ｂを介在するように螺合されるナット部材（図示しない）とを備えて構成される。
【０００７】
ばね部材１４は枢支軸部材１３の一部に巻装または係止されて、各一端が挟持部１１ｃ、１２ｃ基部付近の対向面（内側）に当接されるように設けられている。このためばね部材１４によって、各挟持部１１ｃ、１２ｃは互いに近接する方向に、枢支軸部材１３を中心に常時回動付勢されている。従って、挟持部１１ｃ、１２ｃはこれらの先端部が当接するまでの回動範囲内で手袋を挟圧することになる。これらの挟持部１１ｃ、１２ｃは所定サイズの略半円弧状をなし、従ってこれらを合わせると円形または楕円形となり、両手用の手袋の挟持を容易化およびスムースにしている。
【０００８】
かかる構成のグローブホルダＢは、チェーン１６先端に取り付けられたカニカン、ナスカンなどと呼ばれる留め具を、例えばハンドバッグの手提げ紐などに掛け留めすることで、このハンドバッグに対しぶら下がるように取り付けることができる。そして、両手から外した一対の手袋１７を纏めて片手で握り、もう一方の手の２本の指で操作部１１ａ、１２ａを強く摘む。これにより挟持部１１ｃ、１２ｃは相対的に開離する方向に移動するので、これらの間に手袋を介在させることができる。そして、操作部１１ｃ、１２ｃに対する摘み操作力を解除することで、挟持部１１ｃ、１２ｃはばね部材１４の反発力を受けて閉じ、挟持部１１ｃ、１２ｃ間に手袋が挟圧保持される。
【先行技術文献】
【特許文献】
【０００９】
【特許文献１】特開平１０−０１４６４６号公報
【考案の概要】
【考案が解決しようとする課題】
【００１０】
しかしながら、かかる従来のグローブホルダＢにあっては、挟持杆１１、１２を構成する各挟持部１１ｃ、１２ｃが細い断面矩形の棒状材からなるため、手袋１７の挟圧時における手袋に対する接触（当接）面積および接触（摩擦）抵抗が小さく、従って手袋の一部に外力が作用することによって、その手袋が各挟持部１１ｃ、１２ｃ間を擦り抜けて脱落し、紛失してしまうという不都合があった。また、容易に抜き取られてしまうという不具合もある。
更に、操作部１１ａ、１２ｂが細いため、手での挟持部１１ｃ、１２ｃの開離操作する時に手に痛みを感じさせたり、操作しにくい課題がある。
【００１１】
本考案は前述のような従来の問題点を解消するものであり、その目的とするところは、手袋と挟持部との手袋の挟圧時における接触面積および接触抵抗を十分に確保し、各挟持部間から手袋が不用意に脱落したり、抜き取られることを確実に防止できるとともに、また、操作部での挟持部の開離操作が容易であり、開離操作時に手に痛みを感じることなく、かかる効果をデザイン性やファッション性を損なうことなく実現できるグローブホルダを得ることにある。
【課題を解決するための手段】
【００１２】
前記目的達成のために、本考案にかかるグローブホルダは、操作部、枢支部および挟持部を一体に有する略Ｓ字状の一対の挟持杆と、これらの挟持杆の操作部、枢支部および挟持部が互いに線対称配置となるように前記各枢支部を連結する枢支軸部材と、該枢支軸部材に支持されて、各挟持部の先端どうしが圧接状態となるように各挟持杆を回動付勢するばね部材と、を備え、前記挟持部間に手袋を挟んでハンドバッグ等の携行品にぶら下げられるようにして用いられるグローブホルダであって、前記各挟持部が前記枢支部付近から分岐する複数本の分岐片からなることを特徴とする。
【００１３】
また、本考案に係るグローブホルダは、前記各操作部の先端側を幅広部に形成したことを特徴とする。
この構成により、操作部を手で摘み押圧して、挟持部を開離操作する際に、手での押圧操作が容易となるし、手に痛みも作用しない。
【００１４】
この構成により、各挟持部において複数に分岐された各分岐片は、手袋に対し広範囲で、かつ大きな接触面積および大きな接触抵抗（摩擦抵抗）でこれを挟持することから、各分岐片間に挟持された手袋に大きな外力が作用しても、容易にその分岐片間から脱落しないような保持力を発揮する。また、分岐された分岐片の１本１本は細い断面矩形の棒状材からなり、従って、挟持杆１１、１２全体のデザイン性およびファッション性を良好に維持できる。
【００１５】
また、本考案に係るグローブホルダは、前記各挟持部の対向面に摩擦処理部が設けられていることを特徴とする。
この構成により、前記摩擦処理部が各挟持杆の挟持部間に挟持された手袋を極めて大きな接触面積および接触摩擦によって保持するため、手袋に過大と思われるような外力が作用しても、手袋がその挟持部間から脱落するのを確実に防止できる。
【考案の効果】
【００１６】
本考案によれば、手袋の挟圧時における手袋と挟持部との間の接触面積および接触抵抗を十分に確保し、各挟持部間から手袋が不用意に脱落したり、抜き取られることを確実に防止できるとともに、かかる効果をデザイン性やファッション性を損なうことなく実現可能にする。
また、操作部が幅広部となっているので、操作が容易であるし、手に痛みも作用しない。
【００１７】
以上、本考案について簡潔に説明した。更に、以下に本考案を実施するための最良の形態を添付の図面を参照して、詳細に説明する。
【図面の簡単な説明】
【００１８】
【図１】本考案の実施の形態によるグローブホルダを示す斜視図である。
【図２】本考案の他の実施の形態によるグローブホルダを示す斜視図である。
【図３】本考案の他の実施の形態によるグローブホルダを示す斜視図である。
【図４】従来のグローブホルダを示す斜視図である。
【考案を実施するための形態】
【００１９】
以下、本考案の実施の形態にかかるグローブホルダを、図１乃至図３を参照して説明する。
【００２０】
図１は本実施の一形態によるグローブホルダの全体を示す。このグローブホルダＡは、挟持杆２１、２２と、枢支軸部材２３と、ばね部材２４とを備える。これらのうち挟持杆２１は、操作部２１ａ、枢支部２１ｂおよび挟持部２１ｃを一体に有してＳ字状に形成されている。また、挟持部２１ｃは枢支部２１ｂ付近から分岐された２本の分岐片２１ｃ１、２１ｃ２からなる。このため、挟持部２１ｃの全幅は間隙Ｇを介して広くなっている。また、挟持杆２２は、操作部２２ａ、枢支部２２ｂおよび挟持部２２ｃを一体に有してＳ字状に形成されている。挟持部２２ｃは枢支部２２ｂ付近から分岐された２本の分岐片２２ｃ１、２２ｃ２からなる。このため、挟持部２２ｃの全幅は間隙Ｇを介して広くなっている。
【００２１】
これらの挟持杆２１、２２はデザイン性、ファッション性を考慮して、比較的細長い金属や硬質のプラスチックなどからなる、角型（矩形）断面の湾曲棒状材により構成され、必要に応じ表面にメッキなどにより金色など色彩、光沢、模様による装飾が施される。さらに、挟持杆２１の操作部２１ａ先端には、小径の係止孔２５が穿設されており、グローブホルダＡをハンドバッグなどの携行品にぶら下げる（吊持する）チェーン２６の一端が、その係止孔２５に係止されている。
【００２２】
枢支軸部材２３は、挟持杆２１の操作部２１ａ、枢支部２１ｂおよび挟持部２１ｃと、挟持杆２２の操作部２２ａ、枢支部２２ｂおよび挟持部２２ｃとが、互いに線対称配置となるように、各枢支部２１ｂ、２２ｂを回動可能に連結（枢支）している。この枢支軸部材２３は、例えば、各枢支部２１ｂ、２２ｂに設けられた軸挿通孔（図示しない）に挿通されるボルト部材と、このボルト部材に各枢支部２１ｂ、２２ｂを介在するように螺合されるナット部材とを備えて構成される。
【００２３】
ばね部材２４は枢支軸部材２３の一部に巻装または係止されて、各一端が挟持部２１ｃ、２２ｃ基部付近の対向面（内側）に当接されている。このため各挟持部２１ｃ、２２ｃは互いに近接するように、枢支軸部材１３を中心に回動付勢されている。従って、挟持部２１ｃ、２２ｃはこれらの先端部が当接するまでの回動範囲内で手袋を挟圧状態にて保持することになる。これらの挟持部２１ｃ、２２ｃはそれぞれ予め設けたサイズの略半円弧状をなし、従ってこれらを合わせると円形または楕円形となり、両手用の手袋の挟持が容易およびスムースに行える。なお、この円形、楕円形以外の形状とすることは任意である。
【００２４】
かかる構成のグローブホルダＡは、チェーン２６の先端を例えばハンドバッグの手提げ紐などに係止することで、このハンドバッグに対しぶら下がるように取り付けることができる。そして、両手から外した一対の手袋を纏めて片手で持ち、操作部２１ａ、２２ａをもう一方の手の２本の指で強く摘む。これにより挟持部２１ｃ、２２ｃは相対的に開離する方向に移動するので、これらの間に手袋を介在させることができる。そして、操作部２１ａ、２２ａに対する操作力を解除することで、挟持部２１ｃ、２２ｃはばね部材２４の反発力を受けて閉じ、挟持部２１ｃ、２２ｃ間に手袋が挟圧保持される。
【００２５】
この場合において、挟持部２１ｃは枢支部２１ｂから分岐する分岐片２１ｃ１、２１ｃ２からなり、また挟持部２２ｃも枢支部２２ｂから分岐する分岐片２２ｃ１、２２ｃ２からなるため、挟持部２１ｃ、２２ｃそれぞれの幅寸法が間隙Ｇを介して拡張される。このため、これらの挟持部２１ｃ、２２ｃはこれらの間に挟持される手袋１７を広い領域（面積）で同時に支え、挟持部２１ｃ、２２ｃの手袋１７に対する接触抵抗（摩擦抵抗）も大きくなる。従って、手袋１７が不用意に挟持部２１ｃ、２２ｃを擦り抜けて脱落することがなく、また、外力を受けて手袋の一部に引張力が作用しても、前記の大きな摩擦抵抗によって手袋の挟持部２１ｃ、２２ｃ間からの脱抜が回避可能となる。
【００２６】
なお、分岐片２１ｃ１、２１ｃ２および分岐片２２ｃ１、２２ｃ２の材質やサイズ（厚み、幅）を任意に選定することで、これらに弾力性を付与することができる。この場合には、分岐片２１ｃ１、２１ｃ２および分岐片２２ｃ１、２２ｃ２が手袋１７に対し過大な挟持圧力を掛けることなく、これを弾性保持できる。この結果、分岐片２１ｃ１、２１ｃ２および分岐片２２ｃ１、２２ｃ２による挟持圧力が解除された後の手袋１７自体に、挟圧時に作られた皺がそのまま残ったり、傷ついたりすることを回避できる。また、所期のデザイン性およびファッション性を維持することができる。
【００２７】
図１では、挟持部２１ｃ、２２ｃを２本ずつの分岐片２１ｃ１、２１ｃ２および分岐片２２ｃ１、２２ｃ２からなるものとして構成したが、図２に示すように、３本ずつの分岐片２１ｃ１、２１ｃ２、２１ｃ３および分岐片２２ｃ１、２２ｃ２、２２ｃ３からなるものとすることができる。この実施形態のグローブホルダでは、挟持部２１ｃ、２２ｃそれぞれの幅寸法が２つの間隙Ｇを介して拡張される。このため、これらの挟持部２１ｃ、２２ｃはこれらに介在された手袋１７をさらに広い領域に亘って挟持可能になり、挟持部２１ｃ、２２ｃの手袋に対する摩擦抵抗がさらに大きくなる。
【００２８】
この結果、手袋が強い外力を受けることがあっても、手袋の脱落を確実に回避することができる。なお、図１および図２においては、操作部２１ａ、２２ａの先端部を略円形状の幅広部２１ｄ、２２ｄとした。これにより幅広部２１ｄ、２２ｄに対し挟圧の操作力を掛け易くすることができ、しかも、手に痛みを作用させない。従って、ばね部材２４の反発力に抗して挟持部２１ｃ、２２ｃを開離操作する作業を軽快化できる。
【００２９】
図３は、グローブホルダＡのさらに他の実施形態を示す。このグローブホルダＡは、挟持部２１ｃの分岐片２１ｃ１、２１ｃ２および挟持部２２ｃの分岐片２２ｃ１、２２ｃ２の、互いに対向する面（内面）に摩擦処理部２７,２８を設けたものである。この摩擦処理部２７、２８としては、各分岐片２１ｃ１、２１ｃ２、２２ｃ１、２２ｃ２の互いに対向する面に所定領域に亘って凹凸面を施したり、所定のサイズおよび厚みを持つゴム、プラスチックなどの摩擦シートを貼着したものなどが採用される。これらの摩擦処理部２７、２８は、前述のように挟持部２１ｃ、２２ｃ間に挟持した手袋が滑り落ちたり位置ずれしたりするのを、さらに確実に阻止することができる。また、摩擦処理部２７、２８は、各分岐片２１ｃ１、２１ｃ２と分岐片２２ｃ１、２２ｃ２との互いに対向する面に突出するように設けてもよい。
【００３０】
なお、本実施形態のグローブホルダＡは手袋のみでなく、ストール、マフラー、帽子などの挟持のための利用も可能であり、これらの挟持をしなくてもハンドバッグのチャームとしての使用も可能である。
【００３１】
以上のように、本実施形態によるグローブホルダは、操作部２１ａ、枢支部２１ｂおよび挟持部２１ｃと、操作部２２ａ、枢支部２２ｂおよび挟持部２２ｃとを一体に有する略Ｓ字状の一対の挟持杆２１、２２と、これらの挟持杆２１、２２の操作部２１ａ、２２ａ、枢支部２１ｂ、２２ｂおよび挟持部２１ｃ、２２ｃが互いに線対称配置となるように前記各枢支部２１ｂ、２２ｂを連結する枢支軸部材２３と、この枢支軸部材２３に支持されて、各挟持部２１ｃ、２２ｃの先端どうしが圧接状態となるように各挟持杆２１、２２を回動付勢するばね部材２４と、を備え、挟持部２１ｃ、２２ｃ間に手袋を挟んでハンドバッグ等の携行品にぶら下げられるようにして用いられ、特に、前記挟持部２１ｃ、２２ｃが枢支部２１ｂ、２２ｂ付近から分岐する複数本の分岐片２１ｃ１、２１ｃ２および分岐片２２ｃ１、２２ｃ２からなる構成としている。
【００３２】
従って、かかる構成のグローブホルダでは、各挟持杆２１、２２において複数に分岐された分岐片２１ｃ１、２１ｃ２および分岐片２２ｃ１、２２ｃ２が、手袋を広範囲で、大きな接触面積および大きな接触抵抗（摩擦抵抗）で挟圧する。この結果、各挟持杆２１、２２の分岐片２１ｃ１、２１ｃ２と分岐片２２ｃ１、２２ｃ２との間に挟圧された手袋が不用意に大きな外力を受けることがあっても、その分岐片２１ｃ１、２１ｃ２と分岐片２２ｃ１、２２ｃ２との間から容易に脱落することはない。また、分岐片２１ｃ１、２１ｃ２および分岐片２２ｃ１、２２ｃ２の１本１本は細い断面矩形の棒状材からなるので、挟持杆２１、２２全体のデザイン性およびファッション性を良好に維持できることとなる。
【産業上の利用可能性】
【００３３】
本考案のグローブホルダは、手袋の挟圧時における手袋と挟持部との接触面積および接触抵抗を十分に確保し、各挟持部間から手袋が不用意に脱落するのを防止できるという効果を有し、ハンドバッグ等の携行品にぶら下げて用いるグローブホルダ等に有用である。
【符号の説明】
【００３４】
２１、２２  挟持杆
２１ａ、２２ａ  操作部
２１ｂ、２２ｂ  枢支部
２１ｃ、２２ｃ  挟持部
２１ｄ、２２ｄ  幅広部
２１ｃ１、２１ｃ２、２２ｃ１、２２ｃ２  分岐片
２３  枢支軸部材  
２４  ばね部材
２５  係止孔
２６  チェーン
２７、２８  摩擦処理部
Ａ  グローブホルダ
【図１】
0003188755.tif 000003
【図２】
0003188755.tif 000004
【図３】
0003188755.tif 000005
【図４】
0003188755.tif 000006